(57)【要約】【課題】使用者がカバーを閉じた状態から開く方向に手で勢いよく回動させると、その反動により、カバーは閉じる方向に回動してしまうという課題がある。【解決手段】遮蔽可能なカバー１３と、柱状の軸部４０，４７と、軸部４０，４７に回動可能に嵌合された軸受け部と、カバー１３の壁部から立設する、第１突出部３４および第２突出部３５と、第１突出部３４を軸方向に押圧する第１押圧部としての凸部と、第２突出部３５を軸方向に押圧する第２押圧部としての壁面４６と、が備えられ、カバー１３の回動範囲において、凸部４４が第１突出部３４を押圧する第１の押圧回動範囲と、壁面４６が第２突出部３５を押圧する第２の押圧回動範囲と、が設けられた開閉装置を提供する。【選択図】図６
2014192440.tif 000002
【特許請求の範囲】
【請求項１】
本体の外側を覆う外装部と、
前記外装部の一部を遮蔽可能なカバーと、
前記外装部と前記カバーのうちの一方に設けられた柱状の軸部と、
前記外装部と前記カバーのうちの他方に設けられ、軸方向に延設される開口部を有し、前記軸部が相対的に回動可能に嵌合された軸受け部と、
前記カバーの壁部から立設する、第１突出部および第２突出部と、
前記外装部に設けられ、前記第１突出部を前記軸方向に押圧する第１押圧部と、
前記外装部に設けられ、前記第２突出部を前記軸方向に押圧する第２押圧部と、が備えられ、
前記カバーの回動範囲において、
前記第１突出部が前記外装部の内側にあって、前記第１押圧部が前記第１突出部を押圧する第１の押圧回動範囲と、
前記第２突出部が前記外装部の外側にあって、前記第２押圧部が前記第２突出部を押圧する第２の押圧回動範囲と、が設けられたことを特徴とする開閉装置。
【請求項２】
請求項１に記載の開閉装置であって、
前記第１の突出部は前記第２の突出部より剛性が高く形成されていることを特徴とする開閉装置。
【請求項３】
請求項１または請求項２に記載の開閉装置であって、
前記第２の押圧回動範囲は、閉塞時からある一定の開放角度までの区間であり、前記第１の押圧範囲は、ある一定の開放角度からカバー全開の区間であることを特徴とする開閉装置。
【請求項４】
請求項１から請求項３のいずれか一項に記載の開閉装置であって、
前記カバーは、前記外装部の一部を遮蔽可能な第１面と、前記第１面と交わる方向の第２面を有し、前記第１突出部は、前記第１面および前記第２面と接合され、前記第２突出部は、板状に形成され、前記第２突出部は、前記第１面と前記第２面のうちの、一方に接合され、他方とは離れていることを特徴とする開閉装置。
【請求項５】
請求項１から請求項４のいずれか一項に記載の開閉装置であって、
前記第１突出部、前記第２突出部、前記第１押圧部、前記第２押圧部、のうちの少なくとも一つは、前記軸方向に突出する凸部であることを特徴とする開閉装置。
【請求項６】
請求項１から請求項５のいずれか一項に記載の開閉装置であって、
前記第１押圧部もしくは前記第２押圧部または前記第１押圧部および前記第２押圧部は、前記外装部の開口部に設けられたことを特徴とする開閉装置。
【請求項７】
請求項６に記載の開閉装置であって、
前記第１押圧部もしくは前記第２押圧部または前記第１押圧部および前記第２押圧部は、前記開口部の壁面であることを特徴とする開閉装置。
【請求項８】
請求項１から請求項７のいずれか一項に記載の開閉装置であって、
前記軸方向から見た、前記第１押圧部、前記第２押圧部は、前記カバーの回動中心側に設けられたことを特徴とする開閉装置。
【請求項９】
請求項１から請求項８のいずれか一項に記載の開閉装置を備えたことを特徴とする記録装置。
【請求項１０】
請求項９に記載の記録装置であって、
前記外装部には、前記外装部から外方に飛び出す状態で差込対象物を差込可能な接続口が設けられ、
前記カバーは、前記接続口を遮蔽可能に備えられたことを特徴とする記録装置。
【発明の詳細な説明】
【技術分野】
【０００１】
本発明は、開閉装置および記録装置に関する。
【背景技術】
【０００２】
近年、電子機器において、さまざまなカバーが設けられている。たとえば、記録装置においては、メモリーカードスロットに挿入されたメモリーカードに格納されている画像データ等を読み取って、プリント動作を実行可能とするものが普及している。ここで、記録装置の本体において、メモリーカードの挿入に対応するための内部スペースを確保することは、記録装置の本体の大型化に繋がってしまう。このため、メモリーカード全体を格納するだけの内部スペースを確保することなく、挿入されたメモリーカードの一部を本体から飛び出させておくものも存在する。
【０００３】
このようにメモリーカードを本体から飛び出させる構成にあっては、記録装置がデザイン性において劣ったものになるとともに、メモリーカードスロットに外部からの塵埃が混入してしまうという問題が生じる。そこで、記録装置のデザイン性を確保し、塵埃の混入を防止するために、本体にメモリーカードの外側を覆うカバーを設けることが考えられる。
本体にカバーを設ける技術としては、特許文献１に記載されているものがある。特許文献１に開示の構成によれば、カバーを所定の角度まで開くように回動させたとき、カバーの回動中心側の端部に設けられた第１係合部が、本体側に設けられた第２係合部に乗り上げて係合することにより、カバーを保持する。
【先行技術文献】
【特許文献】
【０００４】
【特許文献１】特開２００１−１８９５６６号公報
【発明の概要】
【発明が解決しようとする課題】
【０００５】
しかしながら、特許文献１では、カバーが閉じた状態から所定の角度まで開くまでの回動範囲においては、カバーが保持されていない状態となる。そのため、使用者がカバーを閉じた状態から開く方向に手で勢いよく回動させると、第１係合部が第２係合部に衝突し、その反動により、カバーは閉じる方向に回動してしまう。このように、使用者がカバーを閉じた状態から開く方向に手で勢いよく回動させると、その反動により、カバーは閉じる方向に回動してしまうという課題がある。
また、本体に設けられてカバーを回動可能に保持するための保持部と、カバーの被保持部とにおいて所謂ガタツキがあると、カバーの回動時に、カバーの姿勢が安定しないという課題がある。
また、カバーの回動範囲を越えて、カバーを開く方向に回動する力が作用したときには、本体に設けられた保持部やカバーの被保持部などが破損しないように、カバーが本体から外れるようにした構成が必要である。
【課題を解決するための手段】
【０００６】
本発明は、上述の課題の少なくとも一部を解決するためになされたものであり、以下の形態または適用例として実現することが可能である。
【０００７】
［適用例１］本体の外側を覆う外装部と、前記外装部の一部を遮蔽可能なカバーと、前記外装部と前記カバーのうちの一方に設けられた柱状の軸部と、前記外装部と前記カバーのうちの他方に設けられ、軸方向に延設される開口部を有し、前記軸部が相対的に回動可能に嵌合された軸受け部と、前記カバーの壁部から立設する、第１突出部および第２突出部と、前記外装部に設けられ、前記第１突出部を前記軸方向に押圧する第１押圧部と、前記外装部に設けられ、前記第２突出部を前記軸方向に押圧する第２押圧部と、が備えられ、前記カバーの回動範囲において、前記第１突出部が前記外装部の内側にあって、前記第１押圧部が前記第１突出部を押圧する第１の押圧回動範囲と、前記第２突出部が前記外装部の外側にあって、前記第２押圧部が前記第２突出部を押圧する第２の押圧回動範囲と、が設けられたことを特徴とする開閉装置。
【０００８】
本適用例によれば、カバーの回動範囲において、第１突出部が外装部の内側にあって、第１押圧部が第１突出部を押圧する第１の押圧回動範囲と、第２突出部が外装部の外側にあって、第２押圧部が第２突出部を押圧する第２の押圧回動範囲と、が設けられる。これにより、カバーが軸方向に押圧される回動角度の範囲が大きくなる。そのため、カバーの回動を抑制する回動角度の範囲が大きくなる。従って、使用者がカバーを閉じた状態から開く方向に手で勢いよく回動させたとき、その反動により、カバーが閉じる方向に回動することを抑制できる。
【０００９】
［適用例２］前記第１の突出部は前記第２の突出部より剛性が高く形成されていることを特徴とする上記開閉装置。
【００１０】
本適用例によれば、カバーを撓ませることにより軸受け部が軸部から外れ、軸受け部や軸部が破損することを抑制する。
【００１１】
［適用例３］前記第２の押圧回動範囲は、閉塞時からある一定の開放角度までの区間であり、前記第１の押圧範囲は、ある一定の開放角度からカバー全開の区間であることを特徴とする上記開閉装置。
【００１２】
本適用例によれば、カバーの閉塞時からある一定の開放角度までの区間と、ある一定の開放角度からカバー全開の区間とにおいて、カバーが軸方向に押圧される。これにより、カバーが回動されるときのカバーの姿勢変化が小さくなる。すなわち、カバーが安定した姿勢で回動可能となる。
【００１３】
［適用例４］前記カバーは、前記外装部の一部を遮蔽可能な第１面と、前記第１面と交わる方向の第２面を有し、前記第１突出部は、前記第１面および前記第２面と接合され、前記第２突出部は、板状に形成され、前記第２突出部は、前記第１面と前記第２面のうちの、一方に接合され、他方とは離れていることを特徴とする上記開閉装置。
【００１４】
本適用例によれば、第１突出部は、第１面および第２面と接合される。これにより、カバーに対して軸方向の力が作用し、軸部が軸受け部から外れる。これにより、軸部や軸受け部が破損することを抑制する。また、第２突出部は、板状に形成され、第２突出部は、第１面と第２面のうちの、一方に接合され、他方とは離れている。これにより、第２突出部が弾性変形し、カバーを軸方向に付勢する。
【００１５】
［適用例５］前記第１突出部、前記第２突出部、前記第１押圧部、前記第２押圧部、のうちの少なくとも一つは、前記軸方向に突出する凸部であることを特徴とする上記開閉装置。
【００１６】
本適用例によれば、カバーを軸方向に付勢できる。
【００１７】
［適用例６］前記第１押圧部もしくは前記第２押圧部または前記第１押圧部および前記第２押圧部は、前記外装部の開口部に設けられたことを特徴とする上記開閉装置。
【００１８】
本適用例によれば、第１突出部、第２突出部が、第１押圧部、第２押圧部の軸方向の位置に侵入できる。これにより、第１押圧部、第２押圧部は、第１突出部、第２突出部を軸方向に押圧できる。
【００１９】
［適用例７］前記第１押圧部もしくは前記第２押圧部または前記第１押圧部および前記第２押圧部は、前記開口部の壁面であることを特徴とする上記開閉装置。
【００２０】
本適用例によれば、カバーを軸方向に付勢できる。
【００２１】
［適用例８］前記軸方向から見た、前記第１押圧部、前記第２押圧部は、前記カバーの回動中心側に設けられたことを特徴とする上記開閉装置。
【００２２】
本適用例によれば、第１突出部、第２突出部を小さくできるので、カバーの製造コストの上昇を抑制できる。
【００２３】
［適用例９］上記開閉装置を備えたことを特徴とする記録装置。
【００２４】
本適用例によれば、使用者がカバーを閉じた状態から開く方向に手で勢いよく回動させたとき、その反動により、カバーが閉じる方向に回動することを抑制できる。
【００２５】
［適用例１０］前記外装部には、前記外装部から外方に飛び出す状態で差込対象物を差込可能な接続口が設けられ、前記カバーは、前記接続口を遮蔽可能に備えられたことを特徴とする上記記録装置。
【００２６】
本適用例によれば、使用者がカバーを閉じた状態から開く方向に手で勢いよく回動させたとき、その反動により、カバーが閉じる方向に回動することを抑制できる。
【図面の簡単な説明】
【００２７】
【図１】記録装置の外観斜視図であり、カバーが閉じた状態を示す図。
【図２】記録装置の外観斜視図であり、カバーが開いた状態を示す図。
【図３】図２中の一点鎖線Ａで囲んだ部分の拡大図。
【図４】カバーの裏側を下側から見た斜視図。
【図５】（ａ）は、軸部が設けられた部分の斜視図、（ｂ）は、開口部の拡大斜視図。
【図６】後方パネル部に回動可能に備えられたカバーを示す斜視図。
【図７】（ａ）は、開口部に第１突出部が侵入する様子を説明する図、（ｂ）は、開口部に第２突出部が侵入する様子を説明する図。
【図８】第１突出部が凸部に近づく方向に回動するときの様子を説明する図。
【図９】第２突出部が壁面に近づく方向に回動するときの様子を説明する図。
【図１０】（ａ）は、第１の押圧回動範囲を示す模式図、（ｂ）は、第２の押圧回動範囲を示す模式図。
【図１１】（ａ）は、カバーに作用する力を説明する図、（ｂ）は、軸部が軸受け部から外れる様子を示す図。
【発明を実施するための形態】
【００２８】
（実施例）
以下、本発明の一実施の形態に係る開閉装置を備える記録装置１０について、図面を参照しながら説明する。なお、以下の説明において、図面に示す矢示Ｘ１方向を「前」、矢示Ｘ２方向を「後（後ろ）」、Ｘ１方向とＸ２方向の両方向に対し水平方向で直交する方向となる矢示Ｙ１方向を「左」、矢示Ｙ２方向を「右」、ＸＹ平面と直交する矢示Ｚ１方向を「上」および矢示Ｚ２方向を「下」とそれぞれ規定する。
【００２９】
図１は、記録装置の外観斜視図であり、カバーが閉じた状態を示す図である。図２は、記録装置の外観斜視図であり、カバーが開いた状態を示す図である。記録装置１０は、紙などの記録対象物に記録を行うものであり、図示を省略する設置面に設置される。記録装置１０の本体１１の前方には各種操作を行うための操作部１２が設けられている。なお、本明細書における「記録」には、印刷が含まれるものとする。
【００３０】
記録装置１０は、その左方に開閉可能なカバー１３を有している。このカバー１３は、インターフェイス部１４に形成される接続口１５を覆う形態で設けられている。接続口１５には、記憶媒体（差込対象物）であるメモリーカード１６が、インターフェイス部１４の後方パネル部２１（後述）から外側（前方）に飛び出す状態で挿入される。
【００３１】
ここで、接続口１５に挿入されるメモリーカード１６をインターフェイス部１４から外側に飛び出させるという構成を採用するのは、メモリーカード１６のための空間を、本体１１のインターフェイス部１４よりも内部に大きく確保する必要がなくなり、記録装置１０の小型化が可能となるためである。
【００３２】
このため、接続口１５から前方に飛び出た状態でメモリーカード１６はカバー１３によって覆われることになる。カバー１３は左側方からインターフェイス部１４の前側全体を覆うため、本体１１にカバー１３の稜線が複数現れることがなくなり、記録装置１０の意匠性の向上を図ることができる。
【００３３】
図３は、図２中の一点鎖線Ａで囲んだ部分の拡大図である。カバー１３にはフック体１７が設けられていて、このフック体１７はカバー１３を閉じたときに本体１１の内側に向かって突出する。一方、インターフェイス部１４には前方に向かって開口する差込口１８が設けられている。
【００３４】
カバー１３を閉じると、フック体１７が差込口１８に嵌まり込んで、カバー１３の閉状態が維持される。また、インターフェイス部１４は、差込口１８が設けられる前方部２０と、前方部２０よりも後方に奥まった位置に形成される後方パネル部２１とを有する。
【００３５】
後方パネル部２１には、接続口１５が設けられている。このような構成により、接続口１５に挿入されたメモリーカード１６の前方に飛び出た部分が、前方部２０よりも前方に飛び出すことがなくなる。このため、カバー１３とメモリーカード１６が干渉することなく、カバー１３を閉じることが可能となる。
【００３６】
本体１１の外側は外装部２２によって覆われている。なお、外装部２２には、上述したインターフェイス部１４も含まれるものとする。カバー１３には、係合部５０が設けられている。係合部５０は、メモリーカード１６の先端部が衝突して、この先端部を受け止めるための部分である。
【００３７】
図４は、カバー１３の裏側を下側から見た斜視図である（フック体１７、係合部５０は不図示）。カバー１３は、図３のインターフェイス部１４を遮蔽可能な第１面３０、第１面の外周部に連続して形成され、第１面から立設する第２面３１を有する。第２面３１には、軸受け部３２，３３が設けられる。軸受け部３２，３３には、内周面３２１，３３１が形成され、一点鎖線に示す軸の方向に延設する開口部３２２，３３２が設けられる。
【００３８】
図５（ａ）は、図２の後方パネル部２１を左側Ｙ１から見た図で、軸部４０，４７が設けられた部分の斜視図である。後方パネル部２１の左側Ｙ１側面には、支持部４１，４２に上下方向Ｚ１，Ｚ２の両端部を支持された柱状の軸部４０、支持部４８，４９に上下方向Ｚ１，Ｚ２の両端部を支持された柱状の軸部４７が設けられる。軸部４０，４７は、支持部４１，４２，４８，４９の先端部に設けられ、後方パネル部２１の壁面２１ａから離れた位置に、一点鎖線に示す軸の方向を上下方向Ｚ１，Ｚ２に備えられる。
【００３９】
軸部４０，４７は、図４の軸受け部３２，３３に対して軸方向が同じ方向の姿勢で開口部３２２，３３２から挿入され、軸受け部３２，３３と嵌合する。軸部４０，４７は、軸受け部３２，３３と嵌合した状態で、内周面３２１，３３１と摺動回転可能に備えられる。
【００４０】
図６は、後方パネル部２１に回動可能に備えられたカバー１３を示す斜視図である。軸部４０，４７が、図４の軸受け部３２，３３と嵌合した状態で、カバー１３は、後方パネル部２１に対して方向Ｄ１，Ｄ２に回動可能に備えられる。カバー１３は、図３のインターフェイス部１４を遮蔽したり（カバー１３が閉じた状態）、インターフェイス部１４を露出させる（カバー１３が開いた状態）。
【００４１】
図４のカバー１３には、第１面３０から突出する、板状の第１突出部３４、板状の第２突出部３５が設けられる。第１突出部３４は、第１面３０と第２面３１とに接合され、第２突出部３５は、第２面３１とは離れ、第１面３０と接合されている。第１突出部３４は第２突出部３５より厚く、第１突出部３４は第２突出部３５より剛性が高い。
【００４２】
図５（ａ）の後方パネル部２１の左側Ｙ１側面部において、軸部４０の上側Ｚ１には、開口部４３が設けられ、軸部４７の下側Ｚ２には、開口部４５が設けられる。
【００４３】
図５（ｂ）は、開口部４３を左側Ｙ１から見た拡大斜視図である。開口部４３には、下側Ｚ２に突出する凸部４４が形成される。凸部４４の後側Ｘ２には、斜面４４ａが形成され、斜面４４ａの前側Ｘ１には、斜面４４ａと接続され、前後方向Ｘ１，Ｘ２に延設された平坦部４４ｂが形成される。
【００４４】
図６に示すように、カバー１３の回動に伴って、第１突出部３４は、開口部４３に侵入可能に設けられる。同様に、カバー１３の回動に伴って、第２突出部３５は、開口部４５に侵入可能に設けられる。
【００４５】
図７（ａ）は、後方パネル部２１を左側Ｙ１から見た図で、開口部４３に第１突出部３４が侵入する様子を説明する図である。図６のカバー１３が開く方向Ｄ１に回動するとき、図７（ａ）の方向Ｄ１に示すように、第１突出部３４は、前方向Ｘ１に向かって開口部４３に侵入する。
【００４６】
このとき、第１突出部３４の先端部は、斜面４４ａ、平坦部４４ｂに沿って前方向Ｘ１に進む。第１突出部３４の侵入に伴って、凸部４４は、第１突出部３４を下側Ｚ２に押圧する押圧部として機能する。
【００４７】
図７（ｂ）は、後方パネル部２１を左側Ｙ１から見た図で、開口部４５に第２突出部３５が侵入する様子を説明する図である。図６のカバー１３が閉じる方向Ｄ２に回動するとき、図７（ｂ）の方向Ｄ２に示すように、第２突出部３５は、後方向Ｘ２に向かって開口部４５に侵入する。
【００４８】
このとき、第２突出部３５の先端部は、開口部４５の上部を形成する壁面４６に沿って後方向Ｘ２に進む。第２突出部３５の侵入に伴って、壁面４６は、第２突出部３５を下側Ｚ２に押圧する押圧部として機能する。
【００４９】
図８（ａ）、（ｂ）は、下側Ｚ２から見た図で、第１突出部３４が凸部４４に近づく方向に回動するときの様子を説明する図である。図８（ａ）のカバー１３が、符号Ｓを回動支点として開く方向Ｄ１へ回動すると、第１突出部３４は、凸部４４に近づく。カバー１３がさらに方向Ｄ１に回動すると、図８（ｂ）に示すように、第１突出部３４の先端部が凸部４４の斜面４４ａ、平坦部４４ｂに沿って摺動しながら回動する。
【００５０】
第１突出部３４の先端部が凸部４４と摺動しながら回動する位置にあるとき、第１突出部３４は、後方パネル部２１より後側Ｘ２すなわち内側にある。
【００５１】
図９（ａ）、（ｂ）は、下側Ｚ２から見た図で、第２突出部３５が壁面４６に近づく方向に回動するときの様子を説明する図である。図９（ａ）のカバー１３が、符号Ｓを回動支点として閉じる方向Ｄ２へ回動すると、第２突出部３５は、壁面４６に近づく。カバー１３がさらに方向Ｄ２に回動すると、図９（ｂ）に示すように、第２突出部３５の先端部が壁面４６に沿って摺動しながら回動する。
【００５２】
第２突出部３５の先端部が壁面４６と摺動しながら回動する位置にあるとき、第２突出部３５は、後方パネル部２１より前側Ｘ１すなわち外側にある。
【００５３】
図１０（ａ）は、第１の押圧回動範囲Ｒ１を示す模式図である。第１の押圧回動範囲Ｒ１は、実線に示すカバー１３が開く方向Ｄ１に回動し、破線に示すカバー１３の位置まで回動する角度の範囲である。
【００５４】
実線に示すカバー１３の第１面３０は、後方パネル部２１の前側Ｘ１の面に対して、略直角に交わる位置にある。この位置にあるカバー１３は、さらに開く方向Ｄ１に回動し、破線に示すカバー１３の位置になる。
【００５５】
カバー１３が、第１の押圧回動範囲Ｒ１の位置にあるときは、カバー１３の回動に伴って、第１突出部３４が凸部４４と摺動可能な範囲にある（図８（ｂ）参照）。これにより、第１突出部３４は、凸部４４によって下方向Ｚ２に押圧される。
【００５６】
図１０（ｂ）は、第２の押圧回動範囲Ｒ２を示す模式図である。第２の押圧回動範囲Ｒ２は、実線に示すカバー１３が閉じる方向Ｄ２に回動し、破線に示すカバー１３の位置まで回動する角度の範囲である。
【００５７】
実線に示すカバー１３の第１面３０は、後方パネル部２１の前側Ｘ１の面に対して、鋭角の位置にある。この位置にあるカバー１３は、さらに閉じる方向Ｄ２に回動し、破線に示すカバー１３の位置になる。
【００５８】
カバー１３が、第２の押圧回動範囲Ｒ２の位置にあるときは、カバー１３の回動に伴って、第２突出部３５が壁面４６と摺動可能な範囲にある（図９（ｂ）参照）。これにより、第２突出部３５は、壁面４６によって下方向Ｚ２に押圧される。
【００５９】
第１突出部３４が凸部４４と当接する面に傾斜角度を設けたり、凸部４４の平坦部４４ｂに傾斜角度を設けたりすることにより、本実施例のカバー１３は、第１の押圧回動範囲Ｒ１において、カバー１３が後側Ｘ２に回動するに従って、押圧する力が最大になるように構成される。これにより、カバー１３を後側Ｘ２に回動させたときに、カバー１３が後方パネル部２１から外れる構成である。
【００６０】
このように、第２の押圧回動範囲Ｒ２は、カバー１３の閉塞時からある一定の開放角度までの区間であり、第１の押圧範囲Ｒ１は、ある一定の開放角度からカバー１３が全開するまでの区間である。
【００６１】
これにより、カバー１３の閉塞時からある一定の開放角度までの区間と、ある一定の開放角度からカバー１３が全開するまでの区間とにおいて、カバー１３が軸方向（下方向Ｚ２）に押圧される。そのため、軸受け部３２，３３と軸部４０，４７における所謂ガタツキが抑制され、カバー１３が回動されるときのカバー１３の姿勢変化が小さくなる。すなわち、カバー１３が安定した姿勢で回動可能となる。
【００６２】
図１１（ａ）は、カバー１３に作用する力を説明する図であり、図１１（ｂ）は、軸部４０，４７が軸受け部３２，３３から外れる様子を示す図である。カバー１３が第１の押圧回動範囲Ｒ１において開く方向Ｄ１に回動すると、凸部４４が第１突出部３４を下側Ｚ２に押圧する力Ｆ１が作用する。
【００６３】
そして、軸部４０と軸受け部３３との嵌合部から反作用の力Ｆ２がカバー１３に作用する。第１突出部３４、軸部４０と軸受け部３３との嵌合部の剛性を高く構成している。そのため、カバー１３は方向Ｄ３に撓み、カバー１３の下端部は方向Ｄ４に変位し、図１１（ｂ）の軸受け部３３は、軸部４０から方向Ｄ４に外れる。また、軸受け部３２も軸部４７から外れる。これにより、軸部４０，４７や軸受け部３２，３３が破損することを抑制する。
【００６４】
本実施例では、軸部４０，４７を後方パネル部２１に設け、軸受け部３２，３３をカバー１３に設けたが、軸受け部を後方パネル部２１に設け、軸部をカバー１３に設けてもよい。
【００６５】
以上、本実施例の記録装置１０に備えた開閉装置は、本体１１の外側を覆う外装部２２と、外装部２２の一部であるインターフェイス部１４を遮蔽可能なカバー１３と、外装部２２に含まれる後方パネル部２１に設けられた柱状の軸部４０，４７と、カバー１３に設けられ、軸方向に延設される開口部３２２，３３２を有し、軸部４０，４７に回動可能に嵌合された軸受け部３２，３３と、カバー１３の壁部から立設する、第１突出部３４および第２突出部３５と、後方パネル部２１に設けられ、第１突出部３４を軸方向に押圧する第１押圧部としての凸部４４と、後方パネル部２１に設けられ、第２突出部３５を軸方向に押圧する第２押圧部としての壁面４６と、が備えられる。
【００６６】
そして、カバー１３の回動範囲において、第１突出部３４が後方パネル部２１の内側にあって、凸部４４が第１突出部３４を押圧する第１の押圧回動範囲Ｒ１と、第２突出部３５が後方パネル部２１の外側にあって、壁面４６が第２突出部３５を押圧する第２の押圧回動範囲Ｒ２と、が設けられる。
【００６７】
この構成によれば、カバー１３が軸方向に押圧される回動角度の範囲が大きくなる。そのため、カバー１３の回動を抑制する回動角度の範囲が大きくなる。従って、使用者がカバー１３を閉じた状態から開く方向に手で勢いよく回動させたとき、その反動により、カバー１３が閉じる方向に回動することを抑制できる。
【００６８】
また、第１突出部３４は、板状に形成され、厚さを厚くし、第１面３０および第２面３１と接合されることにより、剛性を高く構成する。これにより、カバー１３を撓ませる。そのため、軸受け部３３が軸部４０から外れ、軸受け部３３や軸部４０が破損することを抑制する。
【００６９】
また、第２突出部３５は、板状に形成され、第２突出部３５が、第１面３０に接合され、第２面３１とは離れている。第２突出部３５の厚さを薄くするなどにより剛性を低く構成する。これにより、第２突出部３５が弾性変形し、カバー１３を軸方向に付勢する。
【００７０】
また、第１押圧部は凸部４４である。これにより、カバー１３を軸方向に付勢できる。凸部を第１突出部３４、第２突出部３５、第２押圧部としての壁面４６に設け、カバー１３を軸方向に付勢してもよい。
【００７１】
また、凸部４４を開口部４３に設け、壁面４６を開口部４５に設けた。これにより、第１突出部３４、第２突出部３５が、凸部４４、壁面４６の軸方向における下側Ｚ２の位置に侵入できる。
【００７２】
また、第２押圧部は、開口部４５の上端面を形成する壁面４６である。これにより、カバー１３を軸方向に付勢できる。
【００７３】
また、軸方向から見た、凸部４４、壁面４６は、軸部４０，４７と軸受け部３２，３３によって構成される、カバー１３の回動中心側に設けられる。
【００７４】
これによれば、第１突出部３４、第２突出部３５を小さくできるので、カバー１３の製造コストの上昇を抑制できる。
【符号の説明】
【００７５】
１０…記録装置、１１…本体、１３…カバー、１４…インターフェイス部、２１…後方パネル部、２１ａ…壁面、２２…外装部、３０…第１面、３１…第２面、３２，３３…軸受け部、３４…第１突出部、３５…第２突出部、４０，４７…軸部、４３，４５…開口部、４４…凸部、３２１，３３１…内周面、３２２，３３２…開口部。
【図１】
2014192440.tif 000003
【図２】
2014192440.tif 000004
【図３】
2014192440.tif 000005
【図４】
2014192440.tif 000006
【図５】
2014192440.tif 000007
【図６】
2014192440.tif 000008
【図７】
2014192440.tif 000009
【図８】
2014192440.tif 000010
【図９】
2014192440.tif 000011
【図１０】
2014192440.tif 000012
【図１１】
2014192440.tif 000013